(57)【要約】【課題】音量を同調させることが可能な電子機器、音量制御システムおよび音量制御方法を提供する。【解決手段】音量制御システム１００は、電子機器２００および周辺装置３００を備える。電子機器２００は、音声信号を生成させる音声信号発生器２１０と、第１の音量規格を記憶させるメモリ２２０と、音量制御装置２３０とを有する。周辺装置３００は、第２の音量規格を記憶させるメモリ３２０を有する。周辺装置３００と電子機器２００とは、少なくとも１つのＨＤＭＩを介して通信を行い、音量制御装置２３０は、第１の音量規格と第２の音量規格との変換比率に基づいて音声信号を調整し、調整された音声信号を、ＨＤＭＩ２９０を介して周辺装置３００へ伝送させる。【選択図】図１
2010148083.tif 000002
【特許請求の範囲】
【請求項１】
電子機器および周辺装置を備える音量制御システムであって、
前記電子機器は、音声信号を生成させる音声信号発生器と、
第１の音量規格を記憶させるメモリと、
音量制御装置と、を有し、
前記周辺装置は、第２の音量規格を記憶させるメモリを有し、
前記周辺装置と前記電子機器とは、少なくとも１つのＨＤＭＩを介して通信を行い、
前記音量制御装置は、前記第１の音量規格と前記第２の音量規格との変換比率に基づいて前記音声信号を調整し、前記調整された音声信号を、前記ＨＤＭＩを介して前記周辺装置へ伝送させることを特徴とする音量制御システム。
【請求項２】
前記音量制御装置は、
前記周辺装置の前記第２の音量規格を取得する音量規格取得モジュールと、
前記第１の音量規格と前記第２の音量規格との変換比率に基づいて前記音声信号を調整する音量規格変換モジュールと、
前記調整された音声信号を、前記ＨＤＭＩを介して前記周辺装置へ伝送し、前記電子機器の音量値と前記周辺装置の音量値とを同調させる音声信号出力モジュールと、を有することを特徴とする請求項１に記載の音量制御システム。
【請求項３】
前記周辺装置の前記第２の音量規格の入力に用い、前記電子機器の前記メモリに前記第２の音量規格を記憶させるユーザインタフェース装置をさらに備えることを特徴とする請求項１に記載の音量制御システム。
【請求項４】
ＨＤＭＩと、
電子機器の第１の音量規格および周辺装置の第２の音量規格を記憶するメモリと、
前記第１の音量規格に合致した音声信号を生成させる音声信号発生器と、
前記第１の音量規格に合致した音声信号を、前記第２の音量規格に合致した音声信号に調整し、前記調整された音声信号を、前記ＨＤＭＩを介して前記周辺装置へ伝送する音量制御装置と、を備えることを特徴とする電子機器。
【請求項５】
前記音量制御装置は、
前記周辺装置の前記第２の音量規格を取得し、前記メモリに前記第２の音量規格を記憶させる音量規格取得モジュールと、
前記第１の音量規格と前記第２の音量規格との変換比率に基づいて前記音声信号を調整する音量規格変換モジュールと、
前記調整した音声信号を、前記ＨＤＭＩを介して前記周辺装置へ伝送し、前記電子機器の音量値と前記周辺装置の音量値とを同調させる音声信号出力モジュールと、を備えることを特徴とする請求項４に記載の電子機器。
【請求項６】
前記周辺装置の前記第２の音量規格の入力に用い、前記メモリに前記第２の音量規格を記憶させるユーザインタフェース装置をさらに備えることを特徴とする請求項４に記載の電子機器。
【請求項７】
（Ａ）電子機器の第１の音量規格を取得するステップと、
（Ｂ）周辺装置の第２の音量規格を取得するステップと、
（Ｃ）前記第１の音量規格と前記第２の音量規格との変換比率を計算するステップと、
（Ｄ）前記変換比率に基づいて前記電子機器が音声信号を調整し、前記調整された音声信号を前記周辺装置へ伝送するステップと、を含むことを特徴とする音量制御方法。
【請求項８】
前記ステップ（Ｄ）は、
前記変換比率に基づいて前記音声信号を調整するステップと、
前記調整された音声信号を、ＨＤＭＩを介して前記周辺装置へ伝送させるステップと、を含むことを特徴とする請求項７に記載の音量制御方法。
【発明の詳細な説明】
【技術分野】
【０００１】
本発明は制御方法、システムおよび装置に関し、特に、電子機器、音量制御システムおよび音量制御方法に関する。
【背景技術】
【０００２】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）は、高品位、高速伝送および簡便な方式により、パーソナルコンピュータと家電製品などとの通信を行うことができることから、インタフェースの主流となっており、世界の主要メーカの多くは、デジタル家電製品に採用するようになってきている。ＨＤＭＩは、デジタルテレビ、ＤＶＤプレーヤ、セットトップボックスおよびその他デジタルＡＶ機器に利用され、世界のデジタルネットワーク技術において主流標準となっている。
【０００３】
ＨＤＭＩおよびそのＣＥＣ（Ｃｏｎｓｕｍｅｒ  Ｅｌｅｃｔｒｏｎｉｃｓ  Ｃｏｎｔｒｏｌ）の機能は、主にテレビの使用を中心とした各消費者用電子製品の統合にある。この統合性の機能により、ユーザの利便性を向上させることができる。一般に、各ＨＤＭＩおよびＣＥＣの互換装置は、音量調整制御の機能を備えている。しかし、システムが自動的に音量の同調を行わない場合、ユーザが音量を変更する際、複数のリモートコントローラを使用してそれぞれ設定しなければならなかった。
【０００４】
例えば、前回セットトップボックス（Ｓｅｔ  Ｔｏｐ  Ｂｏｘ：ＳＴＢ）を使用してテレビを視聴した時間帯が、周囲の音が大きい昼間の時間帯などである場合、セットトップボックスの音量が大きく設定された状態にされることがあった。その場合、後で夜など周りの音が比較的静かな時間帯にテレビを見るときに、テレビの音量を小さく設定しても、セットトップボックスの音量が前回使用したときに大きく設定されているため、セットトップボックスに切り換えた際、音が急に大きくなってしまうことがあった。そのため、ユーザ、家族などがその大音量に驚き、音量を下げるためにセットトップボックスのリモートコントローラを急いで捜さなければならなくなることがあった。
【０００５】
そのため、ＨＤＭＩおよびＣＥＣの互換装置の音量を同調させることが可能な電子機器、音量制御システムおよび音量制御方法が求められていた。
【発明の概要】
【発明が解決しようとする課題】
【０００６】
本発明の目的は、音量を同調させることが可能な電子機器、音量制御システムおよび音量制御方法を提供することにある。
【課題を解決するための手段】
【０００７】
（１）  電子機器および周辺装置を備える音量制御システムであって、前記電子機器は、音声信号を生成させる音声信号発生器と、第１の音量規格を記憶させるメモリと、音量制御装置と、を有し、前記周辺装置は、第２の音量規格を記憶させるメモリを有し、前記周辺装置と前記電子機器とは、少なくとも１つのＨＤＭＩを介して通信を行い、前記音量制御装置は、前記第１の音量規格と前記第２の音量規格との変換比率に基づいて前記音声信号を調整し、前記調整された音声信号を、前記ＨＤＭＩを介して前記周辺装置へ伝送させることを特徴とする音量制御システム。
【０００８】
（２）  前記音量制御装置は、前記周辺装置の前記第２の音量規格を取得する音量規格取得モジュールと、前記第１の音量規格と前記第２の音量規格との変換比率に基づいて前記音声信号を調整する音量規格変換モジュールと、前記調整された音声信号を、前記ＨＤＭＩを介して前記周辺装置へ伝送し、前記電子機器の音量値と前記周辺装置の音量値とを同調させる音声信号出力モジュールと、を有することを特徴とする（１）に記載の音量制御システム。
【０００９】
（３）  前記周辺装置の前記第２の音量規格の入力に用い、前記電子機器の前記メモリに前記第２の音量規格を記憶させるユーザインタフェース装置をさらに備えることを特徴とする（１）に記載の音量制御システム。
【００１０】
（４）  ＨＤＭＩと、電子機器の第１の音量規格および周辺装置の第２の音量規格を記憶するメモリと、前記第１の音量規格に合致した音声信号を生成させる音声信号発生器と、前記第１の音量規格に合致した音声信号を、前記第２の音量規格に合致した音声信号に調整し、前記調整された音声信号を、前記ＨＤＭＩを介して前記周辺装置へ伝送する音量制御装置と、を備えることを特徴とする電子機器。
【００１１】
（５）  前記音量制御装置は、前記周辺装置の前記第２の音量規格を取得し、前記メモリに前記第２の音量規格を記憶させる音量規格取得モジュールと、前記第１の音量規格と前記第２の音量規格との変換比率に基づいて前記音声信号を調整する音量規格変換モジュールと、前記調整した音声信号を、前記ＨＤＭＩを介して前記周辺装置へ伝送し、前記電子機器の音量値と前記周辺装置の音量値とを同調させる音声信号出力モジュールと、を備えることを特徴とする（４）に記載の電子機器。
【００１２】
（６）  前記周辺装置の前記第２の音量規格の入力に用い、前記メモリに前記第２の音量規格を記憶させるユーザインタフェース装置をさらに備えることを特徴とする（４）に記載の電子機器。
【００１３】
（７）  （Ａ）電子機器の第１の音量規格を取得するステップと、（Ｂ）周辺装置の第２の音量規格を取得するステップと、（Ｃ）前記第１の音量規格と前記第２の音量規格との変換比率を計算するステップと、（Ｄ）前記変換比率に基づいて前記電子機器が音声信号を調整し、前記調整された音声信号を前記周辺装置へ伝送するステップと、を含むことを特徴とする音量制御方法。
【００１４】
（８）  前記ステップ（Ｄ）は、前記変換比率に基づいて前記音声信号を調整するステップと、前記調整された音声信号を、ＨＤＭＩを介して前記周辺装置へ伝送させるステップと、を含むことを特徴とする（７）に記載の音量制御方法。
【発明の効果】
【００１５】
この様に、本発明にかかる電子機器、音量制御システムおよび音量制御方法は、音量を同調させることができる。
【図面の簡単な説明】
【００１６】
【図１】本発明の一実施形態による音量制御システムを示すブロック図である。
【図２】本発明の他の実施形態による音量制御方法を示す流れ図である。
【発明を実施するための形態】
【００１７】
以下、本発明を適用した具体的な実施の形態について図面を参照しながら詳細に説明する。
【００１８】
本発明の技術態様は、テレビ、セットトップボックスなどの消費者用電子製品に利用したり、同調制御の技術として広く利用したりすることができる音量制御システムである。ここで、本技術態様による音量制御システムは、音量の同調を制御することができる。以下、図１に基づいて音量制御システムを具体的に説明する。
【００１９】
図１を参照する。図１は、本発明の一実施形態による音量制御システム１００を示すブロック図である。図１に示すように、音量制御システム１００は、電子機器２００およびその周辺装置３００を含む。電子機器２００は、音声信号発生器２１０、メモリ２２０、音量制御装置２３０およびＨＤＭＩ２９０を含む。周辺装置３００は、メモリ３２０およびＨＤＭＩ３９０を含む。
【００２０】
電子機器２００のメモリ２２０には、第１の音量規格を記憶させてもよい。第１の音量規格には、電子機器２００の音量制御のハードウェアおよびソフトウェアの規格が記録されている。本実施形態の第１の音量規格は、電子機器２００の音量値の最大値、最小値およびステップ値を含む。同様に、周辺装置３００のメモリ３２０には、周辺装置３００の音量制御のハードウェアおよびソフトウェアの規格が記録された第２の音量規格を記憶させてもよい。本実施形態の第２の音量規格は、周辺装置３００の音量値の最大値、最小値およびステップ値を含む。
【００２１】
メモリ２２０，３２０には、チップ中に一体化させるのに都合が良いように、本実施形態ではメモリ素子が利用されているが、当然、他の様々なソフトウェアおよびハードウェアをメモリ２２０，３２０として利用してもよく、本実施形態の態様のみに限定されるわけではない。
【００２２】
電子機器２００のＨＤＭＩ２９０は、周辺装置３００のＨＤＭＩ３９０と電気的に接続されてもよい。これにより、電子機器２００と周辺装置３００とは、ＨＤＭＩ２９０，３９０を介して通信を行うことができる。
【００２３】
上述のＨＤＭＩ２９０，３９０は、アナログビデオ伝送などの端子（例えば、ＳＣＡＲＴ、ＲＣＡなど）を代替することが可能なフルデジタル画像／音声伝送インタフェースでもよい。ＨＤＭＩ２９０，３９０は、セットトップボックス、ＤＶＤプレーヤ、パーソナルコンピュータ、テレビゲーム機、アンプ、デジタルステレオ、テレビなどあらゆる互換装置に共通したデータ通信ルートを提供することができる。ＨＤＭＩ２９０，３９０は、オーディオ信号およびビデオ信号を圧縮せずに伝送することができる。また、オーディオ信号およびビデオ信号の伝送には、同一のケーブルを用いることができるため、配線を簡略化することができる。
【００２４】
音量制御システム１００は、電子機器２００の音声信号発生器２１０により音声信号を生成させることができる。音声信号は、電子機器２００の第１の音量規格に合致する。ＨＤＭＩ２９０，３９０を介し、電子機器２００と周辺装置３００との通信を行うと、電子機器２００の音量制御装置２３０は、第１の音量規格と第２の音量規格との変換比率に基づいて音声信号を調整し、この調整された音声信号を、ＨＤＭＩ２９０，３９０を介して周辺装置３００に伝送してもよい。このように、調整された音声信号は、周辺装置３００の第２の音量規格に合致し、周辺装置３００の音量値と周辺装置３００の音量値とを同調させることができる。
【００２５】
例えば、電子機器２００はテレビでもよく、周辺装置３００はテレビのセットトップボックス（Ｓｅｔ  Ｔｏｐ  Ｂｏｘ：ＳＴＢ）（いわゆるホームターミナル）でもよい。ユーザは、リモートコントローラまたはテレビ本体上のスイッチを用いてテレビの音量を調整することができる。セットトップボックスがＨＤＭＩ３９０を介してテレビに接続される場合、テレビの現在の音量をセットトップボックスに設定することにより、テレビの音量値とセットトップボックスの音量値とを同調させることができる。
【００２６】
以上述べたテレビおよびセットトップボックスは、単なる一例であり、本発明を何ら限定するものではない。つまり、当業者であれば分かるように、必要に応じて互換性を有する装置を柔軟に選択してもよい。例えば、電子機器２００としてパーソナルコンピュータ、ノート型パソコンなどを利用し、周辺装置３００としてテレビ、チューナ（ｔｕｎｅｒ）、オーディオシステム（ａｕｄｉｏ  ｓｙｓｔｅｍ）などを利用してもよい。
【００２７】
以下の表１および表２に基づき、上述の第１の音量規格と第２の音量規格との変換比率を得ることができる。
【００２８】
【表１】
2010148083.tif 000003
【００２９】
【表２】
2010148083.tif 000004
【００３０】
表１は、第１の音量規格の音量値の最大値、最小値およびステップ値を示す。音量値の範囲は、最大値２８から最小値０の間であり、ステップ値は１である。即ち、第１の音量規格の音量値は、最大値から最小値までの範囲を２８の目盛に分けることができる。表２は、第２の音量規格の音量値の最大値、最小値およびステップ値を示す。音量値の範囲は、最大値１４から最小値０の間であり、ステップ値は１である。即ち、第１の音量規格の音量値は、最大値から最小値までの範囲を１４の目盛に分けることができる。
【００３１】
表１および表２から分かるように、第１の音量規格と第２の音量規格との変換比率は、第１の音量規格の音量値：第２の音量規格の音量値＝２：１であり、第１の音量規格のステップ値：第２の音量規格のステップ値＝１：１である。
【００３２】
上述の表１および表２に示した数値は、単なる一例であり、本発明をなんら限定するものではない。当業者であれば分かるように、必要に応じて音量規格の変換方式を柔軟に選択することができる。
【００３３】
本実施形態による電子機器２００は、周辺装置３００の音量規格に基づいて音声信号を提供することができるため、複数の音量規格を有する周辺装置３００に対しても音量を同調させることができる。電子機器２００は、周辺装置３００の音量規格を２つの方式により取得することができる。そのうちの一つは、ユーザがユーザインタフェース装置２４０により手作業で入力する方法であり、さらにもう一つは、音量制御装置２３０により、周辺装置３００の音量規格を自動的に判別する方法である。以下、図１に基づき上述した２種類の方式を具体的に説明する。
【００３４】
図１に示すように、音量制御装置２３０は、音量規格取得モジュール２３２、音量規格変換モジュール２３４および音声信号出力モジュール２３６を含む。音量規格取得モジュール２３２は、周辺装置３００の第２の音量規格を取得することができる。音量規格変換モジュール２３４は、第１の音量規格と第２の音量規格との変換比率に基づき、音声信号を調整することができる。音声信号出力モジュール２３６は、調整された音声信号を、ＨＤＭＩ２９０を介して周辺装置３００に伝送することができる。これにより、電子機器２００の音量値と周辺装置３００の音量値とを同調させることができる。また、音量制御装置２３０は、周辺装置３００の音量規格を自動的に判別し、電子機器２００の音量値と周辺装置３００の音量値とを同調させることもできる。
【００３５】
図１に示すように、電子機器２００は、ユーザインタフェース装置２４０を含む。本実施形態では、ユーザがユーザインタフェース装置２４０を用いて周辺装置３００の第２の音量規格を入力し、電子機器２００のメモリ２２０へ第２の音量規格を記憶させてもよい。つまり、ユーザは、ユーザインタフェース装置２４０を介して手作業で周辺装置３００の音量規格を入力することができる。
【００３６】
例えば、ユーザインタフェース装置２４０は、ＯＳＤ（Ｏｐｅｒａｔｉｏｎａｌ  Ｓｕｐｐｏｒｔ  Ｄｉｒｅｃｔｉｖｅ）のメニューにより、周辺装置３００の音量規格をユーザに訊ねてもよい。ユーザがユーザインタフェース装置２４０を介して入力すると、周辺装置３００の音量規格をメモリ２２０に記憶させることができる。
【００３７】
上述のユーザインタフェース装置２４０は、ユーザの操作・使用に都合が良いように、グラフィカルユーザインタフェース（Ｇｒａｐｈｉｃａｌ  Ｕｓｅｒ  Ｉｎｔｅｒｆａｃｅ：ＧＵＩ）でもよいが、本発明を何ら限定するものではなく、当然他のマンマシンインタフェースをユーザインタフェース装置２４０として用いてもよい。
【００３８】
本発明の他の技術態様は、テレビ、コンピュータなどの消費者用電子製品に利用したり、同調制御の技術として広く利用したりすることができる電子機器である。ここで、本技術態様による電子機器は、音量の同調を制御する機能を備えている。以下、図１に基づいて電子機器を具体的に説明する。
【００３９】
図１を参照する。図１に示すように、電子機器２００は、音声信号発生器２１０、メモリ２２０、音量制御装置２３０およびＨＤＭＩ２９０を含む。
【００４０】
本実施形態のメモリ２２０には、第１の音量規格および第２の音量規格を記憶させることができる。第１の音量規格には、電子機器２００の音量制御のハードウェアおよびソフトウェアの規格が記録され、第２の音量規格には、周辺装置３００の音量制御のハードウェアおよびソフトウェアの規格が記録されてもよい。本実施形態の第１の音量規格は、電子機器２００の音量値の最大値、最小値およびステップ値を含んでもよい。同様に、第２の音量規格は、周辺装置３００の音量値の最大値、最小値およびステップ値を含んでもよい。また、周辺装置３００自身が有するメモリ３２０には、第２の音量規格が記憶されてもよい。
【００４１】
音声信号発生器２１０は、第１の音量規格に合致する音声信号を生成させてもよい。音量制御装置２３０は、第１の音量規格に合致する音声信号を第２の音量規格に合致する音声信号に調整し、調整された音声信号を、ＨＤＭＩ２９０を介して周辺装置３００に伝送してもよい。このように、調整された音声信号を周辺装置３００の第２の音量規格に合致させることにより、電子機器２００の音量値と周辺装置３００の音量値とを同調させることができる。
【００４２】
以下の表３および表４は、上述の第１の音量規格と第２の音量規格との変換比率を詳細に示す。
【００４３】
【表３】
2010148083.tif 000005
【００４４】
【表４】
2010148083.tif 000006
【００４５】
表３は、第１の音量規格の音量値の最大値、最小値およびステップ値を示す。音量値の範囲は、最大値２８から最小値０の間であり、ステップ値は１である。即ち、第１の音量規格の音量値は、最大値から最小値までの範囲を２８の目盛に分けることができる。表４は、第２の音量規格の音量値の最大値、最小値およびステップ値を示す。音量値の範囲は、最大値５６から最小値０の間であり、ステップ値は２である。即ち、第１の音量規格の音量値は、最大値から最小値までの範囲を２８の目盛に分けることができる。
【００４６】
表３および表４から分かるように、第１の音量規格と第２の音量規格との変換比率は、第１の音量規格の音量値：第２の音量規格の音量値＝１：２であり、第１の音量規格のステップ値：第２の音量規格のステップ値＝１：２である。
【００４７】
表３および表４の数値は、単なる一例であり、本発明を何ら限定するものではなく、当業者であれば分かるように、必要に応じて、音量規格の変換方式を柔軟に選択することができる。
【００４８】
図１に示すように、音量制御装置２３０は、音量規格取得モジュール２３２、音量規格変換モジュール２３４および音声信号出力モジュール２３６を含む。音量規格取得モジュール２３２は、周辺装置３００の第２の音量規格を取得し、メモリ２２０に第２の音量規格を記憶させてもよい。音量規格変換モジュール２３４は、第１の音量規格と第２の音量規格との変換比率に基づいて音声信号を調整してもよい。音声信号出力モジュール２３６は、調整された音声信号を、ＨＤＭＩ２９０を介して周辺装置３００に伝送してもよい。これにより、電子機器２００の音量値と周辺装置３００の音量値とを同調させることができる。また、音量制御装置２３０は、周辺装置３００の音量規格を自動的に判別し、電子機器２００の音量値と周辺装置３００の音量値とを同調させてもよい。
【００４９】
図１に示すように、電子機器２００は、ユーザインタフェース装置２４０を含んでもよい。本実施形態において、ユーザは、ユーザインタフェース装置２４０を利用して周辺装置３００の第２の音量規格を入力し、電子機器２００のメモリ２２０に第２の音量規格を記憶させることができる。このように、ユーザは、ユーザインタフェース装置２４０を利用して手作業で周辺装置３００の音量規格を入力することができる。
【００５０】
本発明の他の技術態様は、テレビ、セットトップボックスなどの消費者用電子製品に利用したり、同調制御の技術として広く利用したりすることができる音量制御方法である。この音量制御方法は、音量を同調制御させる機能を備えている。以下、図２に基づいて音量制御方法を具体的に説明する。
【００５１】
図２を参照する。図２は、本発明の他の実施形態による音量制御方法５００を示す流れ図である。音声制御方法のステップは、特にその順序が説明されている場合を除き、実際の必要に応じて順序の前後を入れ替えてもよく、それらのステップの全てまたは一部を同時に実行してもよい。それらのステップを行うハードウェアは、上述の実施形態で既に説明されているため、ここでは繰り返して述べない。図２に示すように、音量制御方法５００は、以下のステップ５１０〜５４０を含む。
【００５２】
ステップ５１０：電子機器の第１の音量規格を取得する。
ステップ５２０：周辺装置の第２の音量規格を取得する。
ステップ５３０：第１の音量規格と第２の音量規格との変換比率を計算する。
ステップ５４０：変換比率に基づき、電子機器が音声信号を調整し、調整された音声信号を周辺装置へ伝送させる。
【００５３】
このように、調整する前の音声信号は、電子機器の第１の音量規格に合致するが、変換比率に基づいて調整した音声信号は、周辺装置の第２の音量規格に合致する。調整された音声信号が周辺装置に入力されると、電子機器の音量値と周辺装置の音量値とを同調させることができる。
【００５４】
ステップ５１０の第１の音量規格は、電子機器の音量値の最大値、最小値およびステップ値を含む。同様に、ステップ５２０の第２の音量規格は、周辺装置の音量値の最大値、最小値およびステップ値を含む。また、周辺装置自体のメモリ３２０には、第２の音量規格が記憶されてもよい。
【００５５】
ステップ５４０は、以下のステップを含む。
（１）変換比率に基づいて音声信号を調整する。
（２）調整された音声信号を、ＨＤＭＩを介して周辺装置に伝送する。
【００５６】
以上述べた実施形態から分かるように、上述の音声信号は、ＣＥＣプロトコル（Ｃｏｎｓｕｍｅｒ  Ｅｌｅｃｔｒｏｎｉｃｓ  Ｃｏｎｔｒｏｌ  Ｐｒｏｔｏｃｏｌ）に基づき周辺装置の音量値と電子機器の音量値とを同調させることができる。
【００５７】
尚、本発明は上述の実施の形態に限られるものではなく、各構成は本発明の趣旨を逸脱しない範囲で適宜変更することが可能である。
【符号の説明】
【００５８】
１００  音量制御システム
２００  電子機器
２１０  音声信号発生器
２２０  メモリ
２３０  音量制御装置
２３２  音量規格取得モジュール
２３４  音量規格変換モジュール
２３６  音声信号出力モジュール
２４０  ユーザインタフェース装置
２９０  ＨＤＭＩ
３００  周辺装置
３２０  メモリ
３９０  ＨＤＭＩ
５００  音量制御方法
【図１】
2010148083.tif 000007
【図２】
2010148083.tif 000008